(57)【要約】【課題】複数のステータ構成部を互いに軸方向から組み付ける際に、隣り合うコア構成部同士の干渉を抑制することが目的である。【解決手段】連結部３４Ｕ，３４Ｖ，３４Ｗは、伸縮性を有しており、これにより、複数のインシュレータ１８Ｕ，１８Ｖ，１８Ｗは、連結部３４Ｕ，３４Ｖ，３４Ｗの伸縮を伴って径方向に拡縮可能な構成とされている。従って、複数のステータ構成部１２Ｕ，１２Ｖ，１２Ｗを互いに軸方向から組み付ける際に、複数の連結部３４Ｕ，３４Ｖ，３４Ｗを伸長させて複数のコア構成部１４Ｕ，１４Ｖ，１４Ｗを径方向外側に移動させることにより隣り合うコア構成部１４Ｕ，１４Ｖ，１４Ｗ同士が軸方向視にて互いに離間された状態となる。これにより、複数のステータ構成部１２Ｕ，１２Ｖ，１２Ｗを互いに軸方向から組み付ける際に、隣り合うコア構成部１４Ｕ，１４Ｖ，１４Ｗ同士の干渉が抑制される。【選択図】図４
2014225983.tif 000002
【特許請求の範囲】
【請求項１】
環状の継鉄を構成すると共に前記継鉄の周方向に分割された複数の継鉄構成部と、それぞれ前記継鉄構成部から前記継鉄の径方向に突出された複数のティース部とを一体に有する複数のコア構成部と、
前記ティース部に巻回された巻回部を有する複数の巻線と、
前記複数のコア構成部の各々に一体化され前記ティース部と前記巻回部とを絶縁する複数の絶縁部と、前記複数の絶縁部を連結すると共に伸縮性を有する連結部とを有し、且つ、前記連結部の伸縮を伴って径方向に拡縮可能な複数のインシュレータと、
を備え、
前記複数のインシュレータの各々に前記複数のコア構成部が組み付けられることにより、互いに独立して形成された複数のグループのステータ構成部が構成され、
前記複数のグループのステータ構成部の各々では、隣り合う前記複数のコア構成部が少なくとも１個以上の隙間を空けて配置されており、
前記複数のグループのステータ構成部が互いに組み付けられた状態では、前記隙間に他のグループのコア構成部が配置されている、
ステータ。
【請求項２】
前記連結部は、屈曲部又は湾曲部により形成された変形部を有し、
前記インシュレータは、前記変形部が変形することによる前記連結部の伸縮を伴って径方向に拡縮可能とされている、
請求項１に記載のステータ。
【請求項３】
前記複数のインシュレータは、前記複数のコア構成部を径方向外側に移動させて隣り合う前記コア構成部同士が互いに離間するように、径方向外側に拡大可能とされている、
請求項１又は請求項２に記載のステータ。
【請求項４】
隣り合う前記コア構成部同士は、前記複数のインシュレータにおける前記連結部の収縮力によって互いに密着されている、
請求項１〜請求項３のいずれか一項に記載のステータ。
【請求項５】
請求項１〜請求項４のいずれか一項に記載のステータと、
前記ステータが形成する回転磁界によって回転されるロータと、
を備えたブラシレスモータ。
【請求項６】
請求項１〜請求項４のいずれか一項に記載のステータの製造方法であって、
前記各インシュレータの前記絶縁部に前記コア構成部を一体化して、複数のグループ毎にサブアッセンブリを形成するサブアッセンブリ形成工程と、
前記各サブアッセンブリの前記各ティース部に径方向外側から前記巻線を巻線巻回装置を用いて巻回して、前記複数のグループ毎に前記ステータ構成部を形成するステータ構成部形成工程と、
前記複数のグループのステータ構成部を同軸上で且つ軸方向に互いにずらして配置すると共に、前記各インシュレータの前記連結部を伸長させて前記複数のコア構成部を径方向外側に移動させることにより隣り合う前記コア構成部同士を軸方向視にて互いに離間させ、この状態から、前記複数のグループのステータ構成部を互いに軸方向から組み付けた後、伸長した前記連結部を収縮させて前記複数のコア構成部を径方向内側に移動させることにより隣り合う前記コア構成部同士を互いに密着させてステータを形成するステータ形成工程と、
を備えたステータの製造方法。
【発明の詳細な説明】
【技術分野】
【０００１】
本発明は、ステータ、ブラシレスモータ、ステータの製造方法に関する。
【背景技術】
【０００２】
従来、複数のコア構成部と、巻線と、インシュレータとを有し、互いに独立した複数のステータ構成部によって構成されたステータがある（例えば、特許文献１参照）。
【０００３】
このようなステータにおいて、複数のステータ構成部は、互いに軸方向から組み付けられる。そして、複数のステータ構成部が互いに組み付けられた状態では、隣り合うコア構成部同士が互いに密着した状態とされる。
【先行技術文献】
【特許文献】
【０００４】
【特許文献１】特開２０１２−１１０２１２号公報（図１〜図３Ｂ）
【発明の概要】
【発明が解決しようとする課題】
【０００５】
しかしながら、このようなステータでは、複数のステータ構成部を互いに軸方向から組み付ける際に、隣り合うコア構成部同士が干渉することがある。隣り合うコア構成部同士が干渉すると、コア構成部が変形したり、コア構成部からバリが発生したりするなどの不具合が生じる虞がある。従って、隣り合うコア構成部同士の干渉を抑制することが要求される。
【０００６】
本発明は、上記課題に鑑みてなされたものであって、複数のステータ構成部を互いに軸方向から組み付ける際に、隣り合うコア構成部同士の干渉を抑制することができるようにすることを目的とする。
【課題を解決するための手段】
【０００７】
前記課題を解決するために、請求項１に記載のステータは、環状の継鉄を構成すると共に前記継鉄の周方向に分割された複数の継鉄構成部と、それぞれ前記継鉄構成部から前記継鉄の径方向に突出された複数のティース部とを一体に有する複数のコア構成部と、前記ティース部に巻回された巻回部を有する複数の巻線と、前記複数のコア構成部の各々に一体化され前記ティース部と前記巻回部とを絶縁する複数の絶縁部と、前記複数の絶縁部を連結すると共に伸縮性を有する連結部とを有し、且つ、前記連結部の伸縮を伴って径方向に拡縮可能な複数のインシュレータと、を備え、前記複数のインシュレータの各々に前記複数のコア構成部が組み付けられることにより、互いに独立して形成された複数のグループのステータ構成部が構成され、前記複数のグループのステータ構成部の各々では、隣り合う前記複数のコア構成部が少なくとも１個以上の隙間を空けて配置されており、前記複数のグループのステータ構成部が互いに組み付けられた状態では、前記隙間に他のグループのコア構成部が配置されている。
【０００８】
このステータは、上記構成により、例えば、次の要領で製造される。すなわち、先ず、各インシュレータの絶縁部にコア構成部が一体化されて、複数のグループ毎にサブアッセンブリが形成される（サブアッセンブリ形成工程）。続いて、各サブアッセンブリの各ティース部に径方向外側から巻線が巻線巻回装置を用いて巻回されて、複数のグループ毎にステータ構成部が形成される（ステータ構成部形成工程）。
【０００９】
次いで、複数のグループのステータ構成部が同軸上で且つ軸方向に互いにずらして配置されると共に、各インシュレータの連結部が伸長されて複数のコア構成部が径方向外側に移動されることにより隣り合うコア構成部同士が軸方向視にて互いに離間された状態とされる。そして、この状態から、複数のグループのステータ構成部が互いに軸方向から組み付けられる。その後、伸長した連結部が収縮されて複数のコア構成部が径方向内側に移動されることにより隣り合うコア構成部同士が互いに密着され、ステータが形成される（ステータ形成工程）。
【００１０】
このように、このステータによれば、複数のグループのステータ構成部を互いに軸方向から組み付ける際に、各インシュレータの連結部を伸長させて複数のコア構成部を径方向外側に移動させることにより隣り合うコア構成部同士を軸方向視にて互いに離間させた状態とすることができる。従って、複数のグループのステータ構成部を互いに軸方向から組み付ける際に、隣り合うコア構成部同士の干渉を抑制することができる。
【００１１】
請求項２に記載のステータは、請求項１に記載のステータにおいて、前記連結部が、屈曲部又は湾曲部により形成された変形部を有し、前記インシュレータが、前記変形部が変形することによる前記連結部の伸縮を伴って径方向に拡縮可能とされたものである。
【００１２】
このステータによれば、連結部に屈曲部又は湾曲部により形成された変形部を形成するという簡単な構成により、連結部を伸縮させてインシュレータを径方向に拡縮させることができる。これにより、コストアップを抑制することができる。
【００１３】
請求項３に記載のステータは、請求項１又は請求項２に記載のステータにおいて、前記複数のインシュレータが、前記複数のコア構成部を径方向外側に移動させて隣り合う前記コア構成部同士が互いに離間するように、径方向外側に拡大可能とされたものである。
【００１４】
このステータによれば、複数のインシュレータは、複数のコア構成部を径方向外側に移動させて隣り合うコア構成部同士が互いに離間するように、径方向外側に拡大可能とされている。これにより、複数のグループのステータ構成部を互いに軸方向から組み付ける際に、隣り合うコア構成部の間隔を確保することができるので、隣り合うコア構成部同士の干渉をより効果的に抑制することができる。
【００１５】
請求項４に記載のステータは、請求項１〜請求項３のいずれか一項に記載のステータにおいて、隣り合う前記コア構成部同士が、前記複数のインシュレータにおける前記連結部の収縮力によって互いに密着されたものである。
【００１６】
このステータによれば、隣り合うコア構成部同士は、複数のインシュレータにおける連結部の収縮力によって互いに密着されている。従って、隣り合うコア構成部同士のがたつきを抑制することができる。
【００１７】
請求項５に記載のブラシレスモータは、請求項１〜請求項４のいずれか一項に記載のステータと、前記ステータが形成する回転磁界によって回転されるロータと、を備えている。
【００１８】
このブラシレスモータによれば、請求項１〜請求項４のいずれか一項に記載のステータを備えているので、ステータの製造時における歩留まりを改善することができる。これにより、コストダウンを図ることができる。
【００１９】
請求項６に記載のステータの製造方法は、請求項１〜請求項４のいずれか一項に記載のステータの製造方法であって、前記各インシュレータの前記絶縁部に前記コア構成部を一体化して、複数のグループ毎にサブアッセンブリを形成するサブアッセンブリ形成工程と、前記各サブアッセンブリの前記各ティース部に径方向外側から前記巻線を巻線巻回装置を用いて巻回して、前記複数のグループ毎に前記ステータ構成部を形成するステータ構成部形成工程と、前記複数のグループのステータ構成部を同軸上で且つ軸方向に互いにずらして配置すると共に、前記各インシュレータの前記連結部を伸長させて前記複数のコア構成部を径方向外側に移動させることにより隣り合う前記コア構成部同士を軸方向視にて互いに離間させ、この状態から、前記複数のグループのステータ構成部を互いに軸方向から組み付けた後、伸長した前記連結部を収縮させて前記複数のコア構成部を径方向内側に移動させることにより隣り合う前記コア構成部同士を互いに密着させてステータを形成するステータ形成工程と、を備えている。
【００２０】
このステータの製造方法によれば、複数のグループのステータ構成部を互いに軸方向から組み付ける際に、各インシュレータの連結部を伸長させて複数のコア構成部を径方向外側に移動させることにより隣り合うコア構成部同士を軸方向視にて互いに離間させた状態とする。従って、複数のグループのステータ構成部を互いに軸方向から組み付ける際に、隣り合うコア構成部同士の干渉を抑制することができる。
【図面の簡単な説明】
【００２１】
【図１】本発明の一実施形態に係るステータの平面図である。
【図２Ａ】Ｕ相のステータ構成部の平面図である。
【図２Ｂ】Ｖ相のステータ構成部の平面図である。
【図２Ｃ】Ｗ相のステータ構成部の平面図である。
【図３】Ｕ相のステータ構成部におけるインシュレータを拡縮させた状態を示す平面図である。
【図４】複数のインシュレータを径方向外側に拡大させた状態で複数のステータ構成部を互いに組み付けた状態を示す平面図である。
【発明を実施するための形態】
【００２２】
以下、図面に基づき、本発明の一実施形態について説明する。
【００２３】
図１に示される本発明の一実施形態に係るステータ１０は、インナロータタイプのブラシレスモータに用いられるものであり、図２Ａ〜図２Ｃに示されるＵ相のステータ構成部１２Ｕと、Ｖ相のステータ構成部１２Ｖと、Ｗ相のステータ構成部１２Ｗによって構成されている。この複数のステータ構成部１２Ｕ，１２Ｖ，１２Ｗは、複数のグループのステータ構成部の一例である。
【００２４】
図２Ａに示されるように、Ｕ相のステータ構成部１２Ｕは、複数のコア構成部１４Ｕと、巻線１６Ｕと、インシュレータ１８Ｕを有して構成されている。複数のコア構成部１４Ｕは、後述するＶ相の複数のコア構成部１４Ｖと、Ｗ相の複数のコア構成部１４Ｗとでコア２０（いずれも図１参照）を構成するものであり、それぞれ複数の継鉄構成部２２Ｕと、複数のティース部２４Ｕとを有している。
【００２５】
複数の継鉄構成部２２Ｕは、後述するＶ相の複数の継鉄構成部２２Ｖと、Ｗ相の複数の継鉄構成部２２Ｗとで環状の継鉄４０（いずれも図１参照）を構成するものである。複数のティース部２４Ｕは、それぞれ継鉄構成部２２Ｕに一体に形成されており、この継鉄構成部２２Ｕから継鉄４０（図１参照）の径方向内側に向けて突出されている。この継鉄構成部２２Ｕとティース部２４Ｕとは、平面視にてＴ字状を成している。
【００２６】
巻線１６Ｕは、複数の巻回部２６Ｕを有している。複数の巻回部２６Ｕは、それぞれ後述する絶縁部３２Ｕを介してティース部２４Ｕに集中的に巻回されており、不図示の複数の渡り線によって互いに接続されている。この渡り線は、後述するインシュレータ１８Ｕに形成された連結部３４Ｕに沿って配線されている。また、巻線１６Ｕの両端側の端末部は、ティース部２４Ｕからステータ構成部１２Ｕの軸方向一方側に導出されている。
【００２７】
インシュレータ１８Ｕは、樹脂製とされており、複数の絶縁部３２Ｕと、複数の連結部３４Ｕとを一体に有している。複数の絶縁部３２Ｕは、上述の複数のティース部２４Ｕと同数設けられている。この複数の絶縁部３２Ｕは、上述の複数のコア構成部１４Ｕの表面にそれぞれ一体成形や装着嵌合される等により一体化されており、コア構成部１４Ｕに形成されたティース部２４Ｕと巻回部２６Ｕとを絶縁している。
【００２８】
複数の連結部３４Ｕは、それぞれ腕状に形成されており、複数の絶縁部３２Ｕを連結している。各連結部３４Ｕの両端部は、絶縁部３２Ｕにおけるステータ構成部１２Ｕの軸方向の一方側の端部に接続されている。各連結部３４Ｕは、屈曲部により形成された複数の変形部３６Ｕを有している。図３に示されるように、インシュレータ１８Ｕは、変形部３６Ｕが変形することによる連結部３４Ｕの伸縮を伴って径方向に拡縮可能とされている。
【００２９】
図２Ｂに示されるＶ相のステータ構成部１２Ｖは、上述のＵ相のステータ構成部１２Ｕ（図２Ａ参照）と基本的な構成は同一とされている。つまり、このＶ相のステータ構成部１２Ｖは、複数のコア構成部１４Ｖと、巻線１６Ｖと、インシュレータ１８Ｖを有して構成されている。Ｖ相の継鉄構成部２２Ｖ、ティース部２４Ｖ、巻回部２６Ｖ、絶縁部３２Ｖ、連結部３４Ｖは、上述のＵ相の継鉄構成部２２Ｕ、ティース部２４Ｕ、巻回部２６Ｕ、絶縁部３２Ｕ、連結部３４Ｕ（いずれも図２Ａ参照）に相当するものである。
【００３０】
また、複数の連結部３４Ｖは、それぞれ腕状に形成されており、複数の絶縁部３２Ｖを連結している。各連結部３４Ｖの両端部は、絶縁部３２Ｖにおけるステータ構成部１２Ｖの軸方向の一方側の端部に接続されている。各連結部３４Ｖは、屈曲部により形成された複数の変形部３６Ｖを有している。インシュレータ１８Ｖは、上述のＵ相のインシュレータ１８Ｕ（図３参照）と同様に、変形部３６Ｖが変形することによる連結部３４Ｖの伸縮を伴って径方向に拡縮可能とされている。
【００３１】
図２Ｃに示されるＷ相のステータ構成部１２Ｗも、上述のＵ相のステータ構成部１２Ｕ（図２Ａ参照）と基本的な構成は同一とされている。つまり、このＷ相のステータ構成部１２Ｗは、複数のコア構成部１４Ｗと、巻線１６Ｗと、インシュレータ１８Ｗを有して構成されている。Ｗ相の継鉄構成部２２Ｗ、ティース部２４Ｗ、巻回部２６Ｗ、絶縁部３２Ｗ、連結部３４Ｗは、上述のＵ相の継鉄構成部２２Ｕ、ティース部２４Ｕ、巻回部２６Ｕ、絶縁部３２Ｕ、連結部３４Ｕ（いずれも図２Ａ参照）に相当するものである。
【００３２】
また、複数の連結部３４Ｗは、それぞれ腕状に形成されており、複数の絶縁部３２Ｗを連結している。各連結部３４Ｗの両端部は、絶縁部３２Ｗにおけるステータ構成部１２Ｗの軸方向の一方側の端部に接続されている。各連結部３４Ｗは、屈曲部により形成された複数の変形部３６Ｗを有している。インシュレータ１８Ｗは、上述のＵ相のインシュレータ１８Ｕ（図３参照）と同様に、変形部３６Ｗが変形することによる連結部３４Ｗの伸縮を伴って径方向に拡縮可能とされている。なお、本実施形態において、変形部３６Ｕ，３６Ｖ，３６Ｗは、屈曲部として把握される以外に、湾曲部として把握することも可能である。
【００３３】
そして、図２Ａ〜図２Ｃに示される如く、複数のインシュレータ１８Ｕ，１８Ｖ，１８Ｗの各々に複数のコア構成部１４Ｕ，１４Ｖ，１４Ｗが組み付けられることにより、互いに独立して形成された複数の相（複数のグループ）のステータ構成部１２Ｕ，１２Ｖ，１２Ｗが構成されている。Ｕ相のステータ構成部１２Ｕでは、隣り合う複数のコア構成部１４Ｕがコア構成部１４Ｖ，１４Ｗ分（コア構成部２個分）の隙間を空けて配置されている。同様に、Ｖ相のステータ構成部１２Ｖでは、隣り合う複数のコア構成部１４Ｖがコア構成部１４Ｕ，１４Ｗ分の隙間を空けて配置されている。また、Ｗ相のステータ構成部１２Ｗでは、隣り合う複数のコア構成部１４Ｗがコア構成部１４Ｕ，１４Ｖ分の隙間を空けて配置されている。
【００３４】
そして、図１に示されるように、この複数のステータ構成部１２Ｕ，１２Ｖ，１２Ｗは、後に詳述する如く、互いに軸方向から組み付けられて、ステータ１０を構成している。このようにして複数のステータ構成部１２Ｕ，１２Ｖ，１２Ｗが互いに組み付けられた状態では、各相において隣り合うコア構成部の間の隙間に他の相のコア構成部が配置されている。
【００３５】
つまり、隣り合うＵ相のコア構成部１４Ｕの間の隙間には、Ｖ相のコア構成部１４Ｕ及びＷ相のコア構成部１４Ｗが配置される。同様に、隣り合うＶ相のコア構成部１４Ｖの間の隙間には、Ｕ相のコア構成部１４Ｕ及びＷ相のコア構成部１４Ｗが配置される。また、Ｗ相のコア構成部１４Ｗの間の隙間には、Ｕ相のコア構成部１４Ｕ及びＶ相のコア構成部１４Ｖが配置される。
【００３６】
また、このステータ１０では、複数の継鉄構成部２２Ｕ，２２Ｖ，２２Ｗによって環状の継鉄４０が形成されている。つまり、この継鉄４０は、周方向に複数の継鉄構成部２２Ｕ，２２Ｖ，２２Ｗに分割されたものである。この複数の継鉄構成部２２Ｕ，２２Ｖ，２２Ｗは、それぞれ両側一対の継鉄構成部の間に嵌合されて密着されている。
【００３７】
そして、上記構成からなるステータ１０は、図１に示されるように、ロータ５０と共にインナロータタイプのブラシレスモータ６０を構成している。このブラシレスモータ６０では、ステータ１０によって回転磁界が形成されると、これによってロータ５０が回転される。
【００３８】
なお、このブラシレスモータ６０は、一例として、８極１２スロットとされている。また、複数の巻線１６Ｕ，１６Ｖ，１６Ｗの結線方法は、直列及び並列ともに、スター結線又はデルタ結線とされる。
【００３９】
次に、上記構成からなるステータ１０の製造方法について説明する。
【００４０】
先ず、図２Ａに示されるように、インシュレータ１８Ｕの絶縁部３２Ｕにコア構成部１４Ｕを一体化して、インシュレータ１８Ｕ及び複数のコア構成部１４ＵからなるＵ相のサブアッセンブリ４２Ｕを形成する。同様に、図２Ｂに示されるように、インシュレータ１８Ｖの絶縁部３２Ｖにコア構成部１４Ｖを一体化して、インシュレータ１８Ｖ及び複数のコア構成部１４ＶからなるＶ相のサブアッセンブリ４２Ｖを形成する。また、図２Ｃに示されるように、インシュレータ１８Ｗの絶縁部３２Ｗにコア構成部１４Ｗを一体化して、インシュレータ１８Ｗ及び複数のコア構成部１４ＷからなるＷ相のサブアッセンブリ４２Ｗを形成する。そして、このようにして、複数の相（複数のグループ）毎にサブアッセンブリ４２Ｕ，４２Ｖ，４２Ｗを形成する（サブアッセンブリ形成工程）。
【００４１】
続いて、図２Ａに示されるように、Ｕ相のサブアッセンブリ４２Ｕの各ティース部２４Ｕに径方向外側から巻線１６Ｕを巻線巻回装置を用いて巻回して、サブアッセンブリ４２Ｕに複数の巻回部２６Ｕが形成されたＵ相のステータ構成部１２Ｕを形成する。なお、巻線巻回装置には、一例として、フライヤ装置を用いる。
【００４２】
同様に、図２Ｂに示されるように、Ｖ相のサブアッセンブリ４２Ｖの各ティース部２４Ｖに径方向外側から巻線１６Ｖを上述の巻線巻回装置を用いて巻回して、サブアッセンブリ４２Ｖに複数の巻回部２６Ｖが形成されたＶ相のステータ構成部１２Ｖを形成する。また、図２Ｃに示されるように、Ｗ相のサブアッセンブリ４２Ｗの各ティース部２４Ｗに径方向外側から巻線１６Ｗを上述の巻線巻回装置を用いて巻回して、サブアッセンブリ４２Ｗに複数の巻回部２６Ｗが形成されたＷ相のステータ構成部１２Ｗを形成する。
【００４３】
そして、このようにして、複数の相毎にステータ構成部１２Ｕ，１２Ｖ，１２Ｗを形成する（ステータ構成部形成工程）。
【００４４】
続いて、図３に示されるように、インシュレータ１８Ｕの連結部３４Ｕを伸長させることにより、インシュレータ１８Ｕを径方向外側に拡大させて、複数のコア構成部１４Ｕを径方向外側に移動させる。同様に、図２Ｂ，図２Ｃに示されるインシュレータ１８Ｖ，１８Ｗについても、連結部３４Ｖ，３４Ｗを伸長させることにより、インシュレータ１８Ｖ，１８Ｗを径方向外側に拡大させて、複数のコア構成部１４Ｖ，１４Ｗを径方向外側に移動させる。
【００４５】
そして、図４に示されるように、インシュレータ１８Ｕ，１８Ｖ，１８Ｗを径方向外側に拡大して複数のコア構成部１４Ｕ，１４Ｖ，１４Ｗを径方向外側に移動させた状態で、複数のステータ構成部１２Ｕ，１２Ｖ，１２Ｗを同軸上で且つ軸方向に互いにずらして配置する。また、このとき、隣り合うコア構成部１４Ｕ，１４Ｖ，１４Ｗ同士が軸方向視にて互いに周方向に離間するように複数のステータ構成部１２Ｕ，１２Ｖ，１２Ｗを周方向に所定角度ずらして配置する。
【００４６】
そして、このように隣り合うコア構成部１４Ｕ，１４Ｖ，１４Ｗ同士が軸方向視にて互いに離間されるように複数のステータ構成部１２Ｕ，１２Ｖ，１２Ｗを配置した状態から、複数のステータ構成部１２Ｕ，１２Ｖ，１２Ｗを互いに軸方向から組み付ける。その後、図１に示されるように、伸長した連結部３４Ｕ，３４Ｖ，３４Ｗを収縮させることにより、複数のコア構成部１４Ｕ，１４Ｖ，１４Ｗを径方向内側に移動させて、隣り合うコア構成部１４Ｕ，１４Ｖ，１４Ｗ同士を互いに密着させる。このとき、隣り合うコア構成部１４Ｕ，１４Ｖ，１４Ｗ同士（隣り合う継鉄構成部同士）は、連結部３４Ｕ，３４Ｖ，３４Ｗの収縮力によって互いに密着される。そして、このようにして、複数のステータ構成部１２Ｕ，１２Ｖ，１２Ｗを互いに組み付けて、ステータ１０を形成する（ステータ形成工程）。
【００４７】
次に、本発明の一実施形態の作用及び効果について説明する。
【００４８】
以上詳述したように、本実施形態に係るステータ１０によれば、複数のステータ構成部１２Ｕ，１２Ｖ，１２Ｗを互いに軸方向から組み付ける際に、連結部３４Ｕ，３４Ｖ，３４Ｗを伸長させて複数のコア構成部１４Ｕ，１４Ｖ，１４Ｗを径方向外側に移動させることにより隣り合うコア構成部１４Ｕ，１４Ｖ，１４Ｗ同士を軸方向視にて互いに離間させた状態とすることができる。
【００４９】
従って、複数のステータ構成部１２Ｕ，１２Ｖ，１２Ｗを互いに軸方向から組み付ける際に、隣り合うコア構成部１４Ｕ，１４Ｖ，１４Ｗ同士の干渉を抑制することができる。これにより、複数のステータ構成部１２Ｕ，１２Ｖ，１２Ｗを互いに軸方向から組み付ける際に、隣り合うコア構成部１４Ｕ，１４Ｖ，１４Ｗ同士の干渉を抑制することができる。この結果、コア構成部１４Ｕ，１４Ｖ，１４Ｗが変形したり、コア構成部１４Ｕ，１４Ｖ，１４Ｗからバリが発生したりするなどの不具合が生じることを抑制することができる。
【００５０】
また、複数のインシュレータ１８Ｕ，１８Ｖ，１８Ｗは、複数のコア構成部１４Ｕ，１４Ｖ，１４Ｗを径方向外側に移動させて隣り合うコア構成部１４Ｕ，１４Ｖ，１４Ｗ同士が互いに離間するように、径方向外側に拡大可能とされている。これにより、複数のステータ構成部１２Ｕ，１２Ｖ，１２Ｗを互いに軸方向から組み付ける際に、隣り合うコア構成部１４Ｕ，１４Ｖ，１４Ｗの間隔を確保することができるので、隣り合うコア構成部１４Ｕ，１４Ｖ，１４Ｗ同士の干渉をより効果的に抑制することができる。
【００５１】
また、連結部３４Ｕ，３４Ｖ，３４Ｗに屈曲部又は湾曲部により形成された変形部３６Ｕ，３４Ｖ，３４Ｗをそれぞれ形成するという簡単な構成により、連結部３４Ｕ，３４Ｖ，３４Ｗを伸縮させてインシュレータ１８Ｕ，１８Ｖ，１８Ｗを径方向に拡縮させることができる。これにより、コストアップを抑制することができる。
【００５２】
また、隣り合うコア構成部１４Ｕ，１４Ｖ，１４Ｗ同士は、複数の連結部３４Ｕ，３４Ｖ，３４Ｗの収縮力によって互いに密着されている。従って、隣り合うコア構成部１４Ｕ，１４Ｖ，１４Ｗ同士のがたつきを抑制することができる。
【００５３】
また、本実施形態に係るブラシレスモータ６０によれば、複数のステータ構成部１２Ｕ，１２Ｖ，１２Ｗを互いに軸方向から組み付ける際に、隣り合うコア構成部１４Ｕ，１４Ｖ，１４Ｗ同士の干渉を抑制することができるので、ステータ１０の製造時における歩留まりを改善することができる。これにより、コストダウンを図ることができる。
【００５４】
次に、本発明の一実施形態の変形例について説明する。
【００５５】
本発明の一実施形態において、ブラシレスモータ６０は、一例として、８極１２スロットとされていたが、磁極の数及びスロットの数は、その他の組み合わせとされていても良い。
【００５６】
また、ステータ１０は、継鉄４０の径方向内側に向けて複数のティース部２４Ｕ，２４Ｖ，２４Ｗが突出された所謂インナロータタイプのブラシレスモータ用とされていたが、継鉄４０の径方向外側に向けて複数のティース部２４Ｕ，２４Ｖ，２４Ｗが突出された所謂アウタロータタイプのブラシレスモータ用とされていても良い。
【００５７】
また、ステータ１０は、複数のグループの一例として複数の相毎に構成されたステータ構成部１２Ｕ，１２Ｖ，１２Ｗに分割されていたが、Ｕ，Ｖ，Ｗの複数の相が混在するグループ毎に構成された複数のステータ構成部に分割されていても良い。また、例えば、この場合に、複数のグループのステータ構成部の各々では、隣り合う複数のコア構成部が少なくとも１個以上の隙間を空けて配置されていても良い。
【００５８】
また、本発明の一実施形態では、巻線１６Ｕ，１６Ｖ，１６Ｗを巻回するために、フライヤ装置が用いられていたが、ノズル装置が用いられても良い。
【００５９】
なお、上記複数の変形例のうち、組み合わせ可能な変形例は、適宜組み合わされても良い。
【００６０】
以上、本発明の一実施形態について説明したが、本発明は、上記に限定されるものでなく、上記以外にも、その主旨を逸脱しない範囲内において種々変形して実施可能であることは勿論である。
【符号の説明】
【００６１】
１０…ステータ、１２Ｕ，１２Ｖ，１２Ｗ…ステータ構成部、１４Ｕ，１４Ｖ，１４Ｗ…コア構成部、１６Ｕ，１６Ｖ，１６Ｗ…巻線、１８Ｕ，１８Ｖ，１８Ｗ…インシュレータ、２０…コア、２２Ｕ，２２Ｖ，２２Ｗ…継鉄構成部、２４Ｕ，２４Ｖ，２４Ｗ…ティース部、２６Ｕ，２６Ｖ，２６Ｗ…巻回部、３２Ｕ，３２Ｖ，３２Ｗ…絶縁部、３４Ｕ，３４Ｖ，３４Ｗ…連結部、３６Ｕ，３６Ｖ，３６Ｗ…変形部、４０…継鉄、４２Ｕ，４２Ｖ，４２Ｗ…サブアッセンブリ、５０…ロータ、６０…ブラシレスモータ
【図１】
2014225983.tif 000003
【図２Ａ】
2014225983.tif 000004
【図２Ｂ】
2014225983.tif 000005
【図２Ｃ】
2014225983.tif 000006
【図３】
2014225983.tif 000007
【図４】
2014225983.tif 000008